(57)【要約】【課題】本発明は、ユーザがデジタルコンテンツの広告媒体を見たとき、その場で、デジタルコンテンツを入手することができるコンテンツ提供サービスの提供を目的とする。【解決手段】本発明は、無線タグ技術を用いたコンテンツ識別情報の取得と、コンテンツアグリゲータによるデジタルコンテンツ収集と、を組み合わせたコンテンツ提供サービスを実現する。無線タグは、コンテンツ広告のための広告看板に取り付けられ、無線タグに記憶された情報を読み取るリーダは、ユーザの無線端末に設けられる。無線タグには、対象となるコンテンツへアクセスするためのコンテンツ識別情報が記憶され、ユーザは、コンテンツ識別情報を用いて、直ちにコンテンツへアクセスすることができる。【選択図】        図５
2004240709.tif 000002
【特許請求の範囲】
【請求項１】
一つ以上のコンテンツホルダーから収集された一つ以上のコンテンツを格納し、ユーザからのコンテンツ要求に応じてコンテンツを携帯端末へ配信するコンテンツアグリゲーションサーバを含むコンテンツ提供システムであって、
コンテンツに関する紹介情報をユーザへ提示するための媒体に取り付けられ、コンテンツに関するコンテンツ識別情報を有する非接触式タグと、
携帯端末に接続され、上記非接触式タグから上記コンテンツ識別情報を取得し、携帯端末へ供給する非接触式タグリーダと、
携帯端末と無線接続され、かつ、上記コンテンツアグリゲーションサーバとネットワーク接続され、携帯端末からコンテンツ要求として上記コンテンツ識別情報を受信し、コンテンツ要求に応じたコンテンツを携帯端末で入手できるようにするため、上記コンテンツアグリゲーションサーバから上記コンテンツ識別情報に対応したコンテンツを受信するコンテンツ仲介サーバと、を有するコンテンツ提供システム。
【請求項２】
ネットワークに接続され、ユーザ登録情報を保持し、携帯端末との間でユーザ認証を実行する認証サーバと、
ネットワークに接続され、コンテンツを入手したユーザにコンテンツ提供サービス料金を課金し決済処理する課金・決済サーバと、が更に設けられ、
上記課金・決済サーバは、ユーザに課金・決済したコンテンツ提供サービス料金の一部をユーザが入手したコンテンツを提供したコンテンツホルダーに対するコンテンツ提供料金として更に決済処理するように構成されている、請求項１記載のコンテンツ提供システム。
【請求項３】
上記非接触式タグは受動的なタグであり、
上記非接触式タグリーダは電磁誘導作用を用いて上記非接触式タグに含まれるコンテンツ識別情報を読み取る、請求項１又は２記載のコンテンツ提供システム。
【請求項４】
上記非接触式タグはコンテンツ識別情報の送信機であり、
上記非接触式タグリーダは上記非接触式タグから送信されたコンテンツ識別情報の受信機である、請求項１又は２記載のコンテンツ提供システム。
【請求項５】
上記コンテンツ仲介サーバは、携帯端末に対する無線基地局である、請求項１乃至４のうちいずれか一項記載のコンテンツ提供システム。
【請求項６】
上記コンテンツ仲介サーバは、上記コンテンツアグリゲーションサーバから受信したコンテンツを携帯端末へ送信する、請求項１乃至５のうちいずれか一項記載のコンテンツ提供システム。
【請求項７】
上記コンテンツ仲介サーバは、上記コンテンツアグリゲーションサーバから受信したコンテンツを一定期間保持する、請求項１乃至６のうちいずれか一項記載のコンテンツ提供システム。
【請求項８】
一つ以上のコンテンツホルダーからコンテンツアグリゲーションサーバに収集されたコンテンツを、ユーザからのコンテンツ要求に応じて、携帯端末へ配信するコンテンツ提供方法であって、
コンテンツに関する紹介情報をユーザへ提示するための媒体に取り付けられた非接触式タグから、コンテンツに関するコンテンツ識別情報を携帯端末に取り込む手順と、
携帯端末から無線接続されたコンテンツ仲介サーバにコンテンツ識別情報を送信する手順と、
上記コンテンツ仲介サーバが携帯端末へユーザ認証情報を要求し、認証サーバがユーザ認証情報に基づいてコンテンツ配信先のユーザを認証する手順と、
ユーザが携帯端末で入手できるように、上記コンテンツ識別情報によって指定されたコンテンツを上記コンテンツアグリゲーションサーバから上記コンテンツ仲介サーバへ送信する手順と、
コンテンツを入手したユーザにコンテンツ提供サービス料金を課金し決済処理する手順と、
コンテンツホルダーとの間で、コンテンツ提供サービス料金の一部をコンテンツ提供料金として決済処理する手順と、を有するコンテンツ提供方法。
【請求項９】
一つ以上のコンテンツホルダーから収集され、ユーザの携帯端末へ配信されるコンテンツを格納するコンテンツアグリゲーションサーバとの間でネットワークを介して通信する手段と、
携帯端末との間で無線通信し、携帯端末と外部ネットワークとの通信を可能にさせる手段と、
コンテンツに関する紹介情報を提示するための媒体に取り付けられた非接触式タグから取得されたコンテンツに関するコンテンツ識別情報を携帯端末から受信する手段と、
コンテンツを要求したユーザを認証する認証サーバから認証完了通知を受信した後、ネットワークを介して接続されたコンテンツアグリゲーションサーバにコンテンツ識別情報に対応したコンテンツを要求し、当該コンテンツを受信する手段と、
受信したコンテンツを、コンテンツを要求したユーザの携帯端末からアクセスできるようにする手段と、
コンテンツを入手した携帯端末のユーザにコンテンツ提供サービス料金の課金を要求する手段と、
ユーザの携帯端末から課金のための情報を受信し、課金・決済サーバへ送信する手段と、を有するコンテンツ仲介サーバ。
【請求項１０】
一つ以上のコンテンツホルダーから収集され、ユーザの携帯端末へ配信されるコンテンツを格納するコンテンツアグリゲーションサーバとの間でネットワークを介して通信する機能と、
携帯端末との間で無線通信し、携帯端末と外部ネットワークとの通信を可能にさせる機能と、
コンテンツに関する紹介情報を提示するための媒体に取り付けられた非接触式タグから取得されたコンテンツに関するコンテンツ識別情報を携帯端末から受信する機能と、
コンテンツを要求したユーザを認証する認証サーバから認証完了通知を受信した後、ネットワークを介して接続されたコンテンツアグリゲーションサーバにコンテンツ識別情報に対応したコンテンツを要求し、当該コンテンツを受信する機能と、
受信したコンテンツを、コンテンツを要求したユーザの携帯端末からアクセスできるようにする機能と、
コンテンツを入手した携帯端末のユーザにコンテンツ提供サービス料金の課金を要求する機能と、
ユーザの携帯端末から課金のための情報を受信し、課金・決済サーバへ送信する機能と、をコンピュータに実現させるためのプログラム。
【請求項１１】
請求項１０記載のプログラムを記録したコンピュータ読み取り可能な記録媒体。
【発明の詳細な説明】
【０００１】
【発明の属する技術分野】
本発明は、無線端末からコンテンツサーバに蓄積されているデジタルコンテンツにアクセスするシステム及び方法に係り、特に、無線端末から広告媒体に掲載されているデジタルコンテンツにアクセスすることができるコンテンツ提供システム及び方法と、このシステムで利用されるコンテンツ仲介サーバとに関する。
【０００２】
【従来の技術】
近年、ポスター、看板、ディスプレイ等の商品広告媒体には、その商品に関する情報を掲載したウェブページのＵＲＬが文字で書き添えられている場合がある。屋外でこれらの商品広告媒体に興味を覚えた一般のユーザは、このＵＲＬを記録して自宅や職場に設置されたコンピュータからこのＵＲＬで指定されたページの情報をアクセスする。また、ネットワークにアクセスできる携帯端末を保持しているユーザは、このＵＲＬを携帯端末に手入力して情報にアクセスする。
【０００３】
また、ＵＲＬのような識別情報の手入力に煩わされることなく、所望の情報へアクセスするため、バーコードやタグが利用されている。バーコードは、店頭に陳列された商品自体に貼付され、或いは、商品カタログに商品情報と共に掲載されている。例えば、商品カタログに掲載されたバーコードは、接触型バーコードリーダで読み取られ、読み取られたバーコードに対応した商品が注文される。この場合、商品は、別途郵送等によって消費者へ渡される。
【０００４】
さらに、近年、バーコードに代わって、非接触式のタグ、例えば、無線タグ、すなわち、ＲＦＩＤ（Ｒａｄｉｏ  Ｆｒｅｑｕｅｎｃｙ  ＩＤｅｎｔｉｆｉｃａｔｉｏｎ）タグが普及し始めている。ＲＦＩＤは、情報を内部の回路に記憶し、外部のリーダとの間で非接触に無線交信して認識を行う技術である。ＲＦＩＤの方式として、電磁誘導方式、電磁結合方式、或いは、マイクロ波方式などが知られている。
【０００５】
このような無線タグは、単に、バーコードの代替としてではなく、携帯電話機と無線タグを連携させた情報配信サービスに利用することが提案されている（例えば、非特許文献１を参照。）。リーダ／ライタを取り付けた街角ディスプレイや看板に、ＩＤ番号を格納した無線タグをかざすと、その番号に基づいて携帯電話機に電子メールを送信したり、街角ディスプレイに情報を表示したりする。このような無線タグのアプリケーションでは、ユーザ自身やユーザ端末等の移動側にタグ、或いは、バーコード等を取り付け、固定側（ポスター、看板、ディスプレイ等）にリーダを設置し、例えば、タグ信号等がトリガーとなって、メール送信、音声出力、ディスプレイ表示等が行われている。これらのアプリケーションは、移動側にタグを持たせることにより、個人属性情報等を考慮した情報配信を行うことを目指している。
【０００６】
一方、ユーザがコンテンツ提供者からデジタルコンテンツをオンラインで入手するためのシステムも提案されている。一例として、コンテンツのダウンロード、コンテンツアグリゲーション、認証、課金決済を行うシステムが開発されている（例えば、非特許文献２を参照。）。このようなサービスでは、料金回収は各ＩＳＰ（インターネット・サービス・プロバイダ）が行うことになっており、課金、認証等はそれぞれのＩＳＰで準備されているものを用いる。そして、各ＩＳＰが得た収入の一部を、コンテンツアグリゲータであるサービス運営者がコンテンツ提供者に支払うように構成されている。
【０００７】
さらに、ユーザが、無線ＬＡＮ等を利用して、ＵＲＬを手入力して、コンテンツ提供サービスへアクセスして、自分の無線端末にコンテンツをダウンロード、購入するシステムが提案されている（例えば、非特許文献３を参照。）。
【０００８】
【非特許文献１】
高橋史忠、「日常に溶け込む無線タグ  バーコード代替が鮮明に」、日経エレクトロニクス、日経ＢＰ社、２００２年１０月７日、第８３３号、ｐ．２８−２９
【０００９】
【非特許文献２】
”初年度利用者獲得目標を年間１００万人に拡大  国内大手プロバイダー１０社に対応した決済システム「Ｃｒｏｓｓ−ｂｉｔｗａｙ」を開発  ＥＣビジネスの強力な武器に”、［ｏｎｌｉｎｅ］、平成１１年１１月４日、凸版印刷株式会社、［平成１４年１２月５日検索］、インターネット＜ＵＲＬ：  ｈｔｔｐ：／／ｗｗｗ．ｂｉｔｗａｙ．ｎｅ．ｊｐ／Ｂ＿ｂｕｓ／Ｒｅｌｅａｓｅ／ｊ９９１１０４．ｈｔｍｌ＞
【００１０】
【非特許文献３】
”凸版印刷、日本信販と協業し、多機能電子マネー「コンテンツチケット」を導入  電子マネーを利用したＰＤＡダイレクト決済も初めて可能に  ポイント還元やプレミアムなど、顧客とのコミュニケーションツールとして活用可能”、［ｏｎｌｉｎｅ］、２００２年１０月１１日、凸版印刷株式会社、［平成１４年１２月５日検索］、インターネット＜ＵＲＬ：  ｈｔｔｐ：／／ｗｗｗ．ｔｏｐｐａｎ．ｃｏ．ｊｐ／ａｂｏｕｔｕｓ／ｒｅｌｅａｓｅ／ａｒｔｉｃｌｅ６２９．ｈｔｍｌ＞
【００１１】
【発明が解決しようとする課題】
このように従来、ポスター、看板、ディスプレイ等のような広告媒体に、広告対象のコンテンツに関するＵＲＬ等のアドレス情報が掲載されている場合、ユーザは、このＵＲＬをメモして、後で端末に手入力するか、或いは、その場で、ＵＲＬを携帯端末へ手入力して、そのコンテンツの提供者のコンテンツサーバーに直接アクセスしている。しかし、一般のユーザは、通常、そのコンテンツの提供者との間で、予め、認証や課金・決済の取り決めをしていることは無いので、コンテンツの広告を見た時点で即座にそのコンテンツを購入することが不可能である。
【００１２】
そこで、本発明は、ユーザがデジタルコンテンツの広告媒体を見たとき、その場で、デジタルコンテンツを入手することができるコンテンツ提供サービス及びコンテンツ提供方法の提供を目的とする。
【００１３】
更に、本発明は、このコンテンツ提供サービスに使用されるコンテンツ仲介サーバと、コンピュータにコンテンツ仲介サーバの機能を実現させるためのプログラム及びそのプログラムを記録した記録媒体の提供を目的とする。
【００１４】
【課題を解決するための手段】
上記目的を達成するため、本発明は、タグ技術を用いたコンテンツ識別情報の取得と、コンテンツアグリゲータによるデジタルコンテンツ収集と、を組み合わせたコンテンツ提供サービスを実現する。
【００１５】
タグは、コンテンツをユーザに紹介するため設置された媒体に取り付けられ、タグに記憶された情報を読み取るリーダは、ユーザの携帯端末側に設けられる。
タグには、対象となるコンテンツへアクセスするためのコンテンツ識別情報が記憶されているので、ユーザは、携帯端末に読み込まれたコンテンツ識別情報を用いて、その場で直接的にコンテンツへアクセスすることができる。
【００１６】
請求項１に記載の発明は、一つ以上のコンテンツホルダーから収集された一つ以上のコンテンツを格納し、ユーザからのコンテンツ要求に応じてコンテンツを携帯端末へ配信するコンテンツアグリゲーションサーバを含むコンテンツ提供システムであって、
コンテンツに関する紹介情報をユーザへ提示するための媒体に取り付けられ、コンテンツに関するコンテンツ識別情報を有する非接触式タグと、
携帯端末に接続され、上記非接触式タグから上記コンテンツ識別情報を取得し、携帯端末へ供給する非接触式タグリーダと、
携帯端末と無線接続され、かつ、上記コンテンツアグリゲーションサーバとネットワーク接続され、携帯端末からコンテンツ要求として上記コンテンツ識別情報を受信し、コンテンツ要求に応じたコンテンツを携帯端末で入手できるようにするため、上記コンテンツアグリゲーションサーバから上記コンテンツ識別情報に対応したコンテンツを受信するコンテンツ仲介サーバと、を有するコンテンツ提供システムである。
【００１７】
ユーザがコンテンツへアクセスした対価としてコンテンツを提供したコンテンツホルダーがコンテンツ提供料金を回収するための機構として、本発明のコンテンツ提供システムは、ユーザを認証する仕組みと、ユーザにサービス料金を課金し、決済処理する仕組みを含む。そして、ユーザから徴収したサービス料金をサービス提供者とコンテンツホルダーとの間で分ける。これにより、インターネット・サービス・プロバイダを経由することなく、コンテンツ提供、認証、課金及び決済が実現できるようになる。
【００１８】
そこで、請求項２に記載の発明は、ネットワークに接続され、ユーザ登録情報を保持し、携帯端末との間でユーザ認証を実行する認証サーバと、
ネットワークに接続され、コンテンツを入手したユーザにコンテンツ提供サービス料金を課金し決済処理する課金・決済サーバと、が更に設けられ、
上記課金・決済サーバは、ユーザに課金・決済したコンテンツ提供サービス料金の一部をユーザが入手したコンテンツを提供したコンテンツホルダーに対するコンテンツ提供料金として更に決済処理するように構成されている、
コンテンツ提供システムである。
【００１９】
非接触式タグは、タグリーダがタグとの間の電磁誘導作用を利用してタグに含まれる情報を読み取るタイプのタグと、タグリーダがタグから送信される信号（光）を受信して情報を読み取るタイプのタグと、がある。
【００２０】
そこで、請求項３に記載の発明によれば、上記非接触式タグは受動的なタグであり、
上記非接触式タグリーダは電磁誘導作用を用いて上記非接触式タグに含まれるコンテンツ識別情報を読み取る。
【００２１】
また、請求項４に記載の発明によれば、上記非接触式タグはコンテンツ識別情報の送信機であり、
上記非接触式タグリーダは上記非接触式タグから送信されたコンテンツ識別情報の受信機である。
【００２２】
携帯端末は、無線通信でネットワークにアクセスするため、無線基地局を利用する。したがって、無線基地局とコンテンツ仲介サーバを統合することによってコストダウンを図ることができる。
【００２３】
そこで、請求項５に記載の発明によれば、上記コンテンツ仲介サーバは、携帯端末に対する無線基地局である。
【００２４】
コンテンツ仲介サーバがコンテンツアグリゲーションサーバから取得したコンテンツに携帯端末がアクセスする場合、典型的には、そのコンテンツが携帯端末へ送信される。
【００２５】
そこで、請求項６に記載の発明によれば、上記コンテンツ仲介サーバは、上記コンテンツアグリゲーションサーバから受信したコンテンツを携帯端末へ送信する。
【００２６】
また、コンテンツ仲介サーバから携帯端末へのコンテンツの送信は失敗する場合がある。さらに、同じコンテンツ仲介サーバを利用する複数の携帯端末から同一のコンテンツが要求される場合もある。そのため、コンテンツアグリゲーションサーバからコンテンツ仲介サーバへの通信負荷を低減させることが望ましい。
【００２７】
そこで、請求項７に記載の発明によれば、上記コンテンツ仲介サーバは、上記コンテンツアグリゲーションサーバから受信したコンテンツを一定期間保持する。
【００２８】
請求項８に記載の発明は、一つ以上のコンテンツホルダーからコンテンツアグリゲーションサーバに収集されたコンテンツを、ユーザからのコンテンツ要求に応じて、携帯端末へ配信するコンテンツ提供方法であって、
コンテンツに関する紹介情報をユーザへ提示するための媒体に取り付けられた非接触式タグから、コンテンツに関するコンテンツ識別情報を携帯端末に取り込む手順と、
携帯端末から無線接続されたコンテンツ仲介サーバにコンテンツ識別情報を送信する手順と、
上記コンテンツ仲介サーバが携帯端末へユーザ認証情報を要求し、認証サーバがユーザ認証情報に基づいてコンテンツ配信先のユーザを認証する手順と、
ユーザが携帯端末で入手できるように、上記コンテンツ識別情報によって指定されたコンテンツを上記コンテンツアグリゲーションサーバから上記コンテンツ仲介サーバへ送信する手順と、
コンテンツを入手したユーザにコンテンツ提供サービス料金を課金し決済処理する手順と、
コンテンツホルダーとの間で、コンテンツ提供サービス料金の一部をコンテンツ提供料金として決済処理する手順と、を有するコンテンツ提供方法である。
【００２９】
上記本発明のコンテンツ提供システムでは、コンテンツを紹介する情報を提示する媒体を見たユーザがその場でネットワークを介してコンテンツアグリゲーションサーバから自分の携帯端末にコンテンツを取得するため、携帯端末とネットワークとを接続する仕組みが必要となる。
【００３０】
請求項９に記載の発明は、
一つ以上のコンテンツホルダーから収集され、ユーザの携帯端末へ配信されるコンテンツを格納するコンテンツアグリゲーションサーバとの間でネットワークを介して通信する手段と、
携帯端末との間で無線通信し、携帯端末と外部ネットワークとの通信を可能にさせる手段と、
コンテンツに関する紹介情報を提示するための媒体に取り付けられた非接触式タグから取得されたコンテンツに関するコンテンツ識別情報を携帯端末から受信する手段と、
コンテンツを要求したユーザを認証する認証サーバから認証完了通知を受信した後、ネットワークを介して接続されたコンテンツアグリゲーションサーバにコンテンツ識別情報に対応したコンテンツを要求し、当該コンテンツを受信する手段と、
受信したコンテンツを、コンテンツを要求したユーザの携帯端末からアクセスできるようにする手段と、
コンテンツを入手した携帯端末のユーザにコンテンツ提供サービス料金の課金を要求する手段と、
ユーザの携帯端末から課金のための情報を受信し、課金・決済サーバへ送信する手段と、を有するコンテンツ仲介サーバである。
【００３１】
このようなコンテンツ仲介サーバの機能は、コンピュータに実現させることができる。そこで、請求項１０に記載の発明は、
一つ以上のコンテンツホルダーから収集され、ユーザの携帯端末へ配信されるコンテンツを格納するコンテンツアグリゲーションサーバとの間でネットワークを介して通信する機能と、
携帯端末との間で無線通信し、携帯端末と外部ネットワークとの通信を可能にさせる機能と、
コンテンツに関する紹介情報を提示するための媒体に取り付けられた非接触式タグから取得されたコンテンツに関するコンテンツ識別情報を携帯端末から受信する機能と、
コンテンツを要求したユーザを認証する認証サーバから認証完了通知を受信した後、ネットワークを介して接続されたコンテンツアグリゲーションサーバにコンテンツ識別情報に対応したコンテンツを要求し、当該コンテンツを受信する機能と、
受信したコンテンツを、コンテンツを要求したユーザの携帯端末からアクセスできるようにする機能と、
コンテンツを入手した携帯端末のユーザにコンテンツ提供サービス料金の課金を要求する機能と、
ユーザの携帯端末から課金のための情報を受信し、課金・決済サーバへ送信する機能と、をコンピュータに実現させるためのプログラムである。
【００３２】
更に、請求項１１に記載の発明は、コンピュータにコンテンツ仲介サーバの機能を実現させるためのプログラムを記録したコンピュータ読み取り可能な記録媒体である。
【００３３】
【発明の実施の形態】
以下、添付図面を参照して本発明の種々の実施例を詳細に説明する。全ての図面を通じで、同一若しくは同等の構成要素又は機能には、同じ参照番号が付けられている。
【００３４】
図１は、本発明の第１実施例によるコンテンツ提供システムの構成図である。本実施例のコンテンツ提供システムによれば、システムの運営機関（＝コンテンツアグリゲータ）は、デジタルコンテンツの制作若しくは販売等を行っている様々なコンテンツホルダー２１との間で、デジタルコンテンツをユーザに提供することに関する契約を締結している。契約には、コンテンツホルダー２１の所有するデジタルコンテンツをコンテンツアグリゲーションサーバ１に収集すること、当該デジタルコンテンツを紹介する情報を掲載した媒体３を作成し、ポスター、看板、或いは、街頭のディスプレイに表示させる等の形態で、人目に触れるところに設置すること、媒体３には、当該デジタルコンテンツにアクセスするためのコンテンツ識別情報を含む非接触式タグを貼付すること、コンテンツ仲介サーバ８を介してコンテンツアグリゲーションサーバ１からユーザの携帯端末７へ当該デジタルコンテンツを配信すること、等が決められている。
【００３５】
デジタルコンテンツには、雑誌記事、グラビア等の画像、音楽データなどのコンテンツや、電子チケット等が含まれるが、これらの例に限定されるものではない。
【００３６】
この契約内容に従って、コンテンツアグリゲーションサーバ１は、一つ以上のコンテンツホルダー２１から、一つ以上のコンテンツを収集し、格納する。コンテンツアグリゲーションサーバ１は、ユーザからのコンテンツ要求に応じてコンテンツを携帯端末７へ配信する。
【００３７】
コンテンツに関する紹介情報４をユーザへ提示するための媒体３には、コンテンツに関するコンテンツ識別情報を有する非接触式タグ５が取り付けされる。ポスター、看板、街頭ディスプレイ等でこの紹介情報４を目にして、コンテンツに興味を持ったユーザ、或いは、コンテンツを購入することを決めたユーザは、携帯端末７に接続された非接触式タグリーダ６を用いて、非接触式タグ５からコンテンツ識別情報を取得し、携帯端末７に取り込む。
【００３８】
次に、ユーザが携帯端末７からコンテンツ要求を発信すると、このコンテンツ要求は、ホットスポットに設置されたコンテンツ仲介サーバ８へ無線送信される。この際、ユーザは、非接触タグリーダ６を用いて非接触式タグ５を読み取るだけで、コンテンツを指定することができるので、ＵＲＬのような面倒なアドレス入力をする必要がない。
【００３９】
コンテンツ仲介サーバ８は、一方で、携帯端末７と無線接続され、他方で、ネットワーク２０を介してコンテンツアグリゲーションサーバ１とネットワーク接続されている。コンテンツ仲介サーバ８は、携帯端末７からコンテンツ要求としてコンテンツ識別情報を受信し、このコンテンツ要求に応じたコンテンツをユーザが携帯端末７で入手できるようにするため、コンテンツアグリゲーションサーバ１からコンテンツ識別情報に対応したコンテンツを受信する。
【００４０】
コンテンツ仲介サーバ８で受信されたコンテンツは、携帯端末７からの要求に応じて直ちにダウンロードされ、或いは、一時的にコンテンツ仲介サーバ８に保存され、後で携帯端末７からアクセスされる。
【００４１】
このように、本発明の第１実施例によれば、雑誌記事、グラビア等の画像、音楽データや電子チケット等の商品に関して、商品広告と、商品広告の閲覧と、商品注文と、商品入手がコンテンツ提供システム内で全てサポートされている。
【００４２】
図２は、本発明の第２実施例によるコンテンツ提供システムの構成図である。図２に示された実施例は、認証サーバ９及び課金・決済サーバ１０が設けられている点で図１の実施例と相違する。
【００４３】
本発明の第２実施例で提供されるサービスには、デジタルコンテンツを配信するユーザを認証し、ユーザに対しデジタルコンテンツの配信サービス料金を課金し、その配信サービス料金の中から、コンテンツホルダー２１に対して、コンテンツの提供料金を支払うことが追加されている。
【００４４】
そのため、コンテンツ提供システムは、ネットワーク２０に接続され、予め登録されているユーザ登録情報を保持し、コンテンツ仲介サーバ８を介して携帯端末７との間でユーザ認証を実行する認証サーバ９と、ネットワーク２０に接続され、コンテンツ仲介サーバ８を介して携帯端末７にコンテンツを入手したユーザに対してコンテンツ提供サービス料金を課金し決済処理する課金・決済サーバ１０と、が更に設けられている。課金・決済サーバ１０は、ユーザに課金・決済したコンテンツ提供サービス料金の一部をユーザが入手したコンテンツを提供したコンテンツホルダー２１に対するコンテンツ提供料金として決済処理する。
【００４５】
本発明の第２実施例では、このような認証・課金・決済技術を導入することによって、コンテンツアグリゲータ自身が課金決済、認証サーバを用いてＩＳＰには関係なく（ＩＳＰの課金、認証の仕組みを用いることなく）、コンテンツを利用者に提供する。したがって、初期コストはかかるもののＩＳＰへの支払いが必要ではなく、コンテンツアグリゲータにとって収入的に有利になる。
【００４６】
本発明の第２実施例によれば、雑誌記事、グラビア等の画像、音楽データや電子チケット等の商品に関して、商品広告と、商品広告の閲覧と、商品注文と、商品入手がサポートされるだけではなく、広告の閲覧と注文に使用した携帯端末でコンテンツを入手することが可能であり、さらに、ユーザ認証、課金及び決済までが携帯端末を使用してシステム内で一貫して処理される。
【００４７】
従って、本発明の第２実施例によれば、ユーザは、非接触式タグ、タグリーダ、及び、携帯端末を用いて、わずらわしいＵＲＬの手入力なしに、かつ広告を見て興味を持ったそのときにコンテンツアクセスが可能である。そのため、ユーザによるコンテンツ視聴、購入が促進され得る。
【００４８】
尚、本発明の第２実施例では、コンテンツアグリゲーションサーバ１と、認証サーバ９と、課金・決済サーバ１０は、別々に設けられているが、これらのサーバは、物理的に１台の装置に統合しても構わない。
【００４９】
次に、本発明の上記実施例において使用される非接触式タグについて説明する。非接触式タグ５は、無線タグ（ＲＦＩＤタグ）、或いは、無線送信部（赤外線デバイスなど）により構成される。具体的には、（電池を内蔵する）能動型のＲＦＩＤタグ、（電池は持たず、電磁誘導を利用する）受動型、あるいは、赤外線送信機が非接触式タグ５として利用できる。この非接触式タグ５は、以下の説明では、無線デバイスとも称され、典型的に、常時あるいは間欠的にコンテンツ識別情報（例えば、コンテンツＵＲＬや、コンテンツＩＤ）を送信する。特に、広告ポスター等を媒体とするとき、広告ポスターは、継続的に掲示されるのではなく、頻繁に変更されるので、電池寿命の制約による影響が少なく、能動型ＲＦＩＤタグを適用できる。
【００５０】
電池を内蔵する能動型のＲＦＩＤタグと、電池は持たずに電磁誘導を利用する受動型のＲＦＩＤは、電池の有無によって通信距離が異なる。また、能動型は受動型よりも厚みはあるが、それでも、ポスター裏面等に貼ることが可能である。また、ＲＦＩＤタグの指向性の条件に応じて、一つのポスターや看板等に、１個のＲＦＩＤタグを貼付し、或いは、複数個のＲＦＩＤタグを貼付することが可能である。
【００５１】
非接触式タグリーダ６は、非接触式タグ５に対応する。非接触式タグとしてＲＦＩＤタグが利用される場合、非接触式タグリーダ６はタグリーダ／ライタであり、非接触式タグとして赤外線送信機が使用される場合には、非接触式タグリーダ６は赤外線受信機である。このような非接触タグリーダを、以下の説明では、デバイスリーダとも呼ぶ。デバイスリーダはＰＤＡのスロットに挿入可能であり、デバイスリーダと無線ＬＡＮカードと併用することで、１台のＰＤＡでＲＦＩＤタグの読み込みと無線ＬＡＮアクセスが可能になる。
【００５２】
本発明の一実施例では、非接触式タグは受動的なタグであり、非接触式タグリーダは電磁誘導作用を用いて非接触式タグに含まれるコンテンツ識別情報を読み取る。
【００５３】
本発明の他の一実施例では、非接触式タグはコンテンツ識別情報の送信機であり、非接触式タグリーダは非接触式タグから送信されたコンテンツ識別情報の受信機である。
【００５４】
上記実施例において、携帯端末７は、無線ＬＡＮ端末やＢｌｕｅｔｏｏｔｈ端末等の無線端末である。
【００５５】
また、上記実施例において、コンテンツ仲介サーバ８は、ホットスポットに設置される。コンテンツ仲介サーバ８は、コンテンツＩＤとＵＲＬをマッピングさせるレゾルバ機能と、コンテンツを一定期間保持するキャッシュ機能と、携帯端末７とのリンクのための無線ＬＡＮ基地局機能又はＢｌｕｅｔｏｏｔｈ機能とを具備する。
【００５６】
本発明の一実施例において、コンテンツ仲介サーバ８は、携帯端末７に対する無線基地局である。
【００５７】
また、本発明の一実施例において、コンテンツ仲介サーバ８は、コンテンツアグリゲーションサーバ１から受信したコンテンツを携帯端末７へ送信する。
【００５８】
さらに、本発明の一実施例において、コンテンツ仲介サーバは、コンテンツアグリゲーションサーバ１から受信したコンテンツを一定期間保持する。
【００５９】
図３は、コンテンツ提供システムによって実行される本発明の第３実施例によるコンテンツ提供方法のフローチャートである。
【００６０】
本発明のコンテンツ提供方法は、一つ以上のコンテンツホルダーからコンテンツアグリゲーションサーバに収集されたコンテンツを、ユーザからのコンテンツ要求に応じて、携帯端末へ配信するコンテンツ提供方法である。
【００６１】
ステップ１０１：コンテンツに関する紹介情報４をユーザへ提示するための媒体３に取り付けられた非接触式タグ５から、非接触式タグリーダ６を用いて、コンテンツに関するコンテンツ識別情報を携帯端末７に取り込む。
【００６２】
ステップ１０２：携帯端末７から無線接続されたコンテンツ仲介サーバ８にコンテンツ識別情報を送信する。
【００６３】
ステップ１０３：コンテンツ仲介サーバ８が携帯端末７へユーザ認証情報を要求し、認証サーバ９がユーザ認証情報に基づいてコンテンツ配信先のユーザを認証する。
【００６４】
ステップ１０４：ユーザが携帯端末７で入手できるように、コンテンツ識別情報によって指定されたコンテンツをコンテンツアグリゲーションサーバからコンテンツ仲介サーバ８へ送信する。
【００６５】
ステップ１０５：コンテンツを入手したユーザにコンテンツ提供サービス料金を課金し決済処理する。
【００６６】
ステップ１０６：コンテンツアグリゲータとコンテンツホルダーとの間で、コンテンツ提供サービス料金の一部をコンテンツホルダーのコンテンツ提供料金として決済処理する。
【００６７】
図４は、上記コンテンツ提供システムで使用される本発明の第４実施例によるコンテンツ仲介サーバ８の構成図である。コンテンツ仲介サーバ８は、一つ以上のコンテンツホルダーから収集され、ユーザの携帯端末へ配信されるコンテンツを格納するコンテンツアグリゲーションサーバ１との間でネットワークを介して通信するネットワーク通信部８１と、携帯端末７との間で無線通信し、携帯端末７と外部ネットワークとの通信を可能にさせる無線通信部８２と、コンテンツに関する紹介情報を提示するための媒体に取り付けられた非接触式タグから取得されたコンテンツに関するコンテンツ識別情報を携帯端末７から受信するコンテンツ識別情報受信部８３と、コンテンツを要求したユーザを認証する認証サーバ９から認証完了通知を受信した後、ネットワークを介して接続されたコンテンツアグリゲーションサーバ１にコンテンツ識別情報に対応したコンテンツを要求し、当該コンテンツを受信するコンテンツ受信部８４と、受信したコンテンツを、コンテンツを要求したユーザの携帯端末７からアクセスできるようにするコンテンツ提供部８５と、コンテンツを入手した携帯端末７のユーザにコンテンツ提供サービス料金の課金を要求する課金要求部８６と、ユーザの携帯端末７から課金のための情報を受信し、課金・決済サーバ１０へ送信する課金決済補助部８７と、を有する。
【００６８】
上記の本発明の第４実施例によるコンテンツ仲介サーバで実現される機能は、ソフトウェア（プログラム）で構築することが可能であり、コンピュータのＣＰＵによってこのプログラムを実行することにより本発明の第４実施例によるコンテンツ仲介サーバを実現することができる。構築されたプログラムは、ディスク装置等に記録しておき必要に応じてコンピュータにインストールされ、フレキシブルディスク、メモリカード、ＣＤ−ＲＯＭ等の可搬記録媒体に格納して必要に応じてコンピュータにインストールされ、或いは、通信回線等を介してコンピュータにインストールされ、コンピュータのＣＰＵによって実行される。
【００６９】
次に、図５及び図６を参照して本発明の第５実施例によるコンテンツ提供システムを説明する。図５は、本発明の第５実施例によるコンテンツ提供システムの構成図である。
【００７０】
本例では、街頭看板、ポスター或いは中吊り広告等の広告看板には、雑誌記事案内、新曲宣伝、小説或いはグラビアのようなコンテンツに関するコンテンツ広告が掲示されている。広告媒体としては、街頭看板、ポスター、商品広告、或いは、電車内での広告からの利用が考えられるが、これらの例に限定されるものではない。また、広告看板には、コンテンツ識別情報を記憶した無線デバイス５が、例えば、広告看板の裏面に貼付される。例えば、街頭看板、商品広告では、車内広告よりも無線デバイスに対する距離制約が緩くなる。
【００７１】
本実施例のコンテンツ提供サービスは、街頭の歩行者、駅構内の乗車待ちの客、電車乗客などによって利用される。
【００７２】
また、本実施例で提供されるコンテンツは、（物流等、他の仕組みとの連携を行うことによって）ネット上での商品売買等をコンテンツの内容とするアプリケーションにも適用可能であるが、より好ましくは、雑誌記事の一部やニュース、ポスター画像や商品詳細説明情報等、ネットワーク内でクローズできるコンテンツに適用される。
【００７３】
本実施例では、各コンテンツホルダーを取りまとめるビジネス実施者が、コンテンツアグリゲーションサーバ、認証・課金・決済サーバを運営する。
【００７４】
図６は、本発明の第５実施例によるコンテンツ適用システムのシーケンス説明図である。
【００７５】
コンテンツアグリゲーションサーバ１は、各コンテンツホルダーが管理・運営するコンテンツサーバ２からのコンテンツを収集し、蓄積する（ステップ１）。
【００７６】
広告看板３は、コンテンツ広告４として、テキストや画像が表示されている。
例えば、広告看板３には、街頭看板、車内広告、店頭広告などが含まれる。コンテンツ広告４には、そのコンテンツを識別、同定するためのＩＤ標識が貼付されている。従来のＩＤ標識は、コンテンツのＵＲＬ等を表現する印刷された文字列である。これに対し、本発明の第５実施例によれば、ＩＤ標識は、ＲＦＩＤタグにより構成された無線デバイス５であり、この無線デバイス５が、コンテンツＩＤ情報を発信する（ステップ２）。コンテンツＩＤ情報は、コンテンツＩＤ、コンテンツＵＲＬ等である。
【００７７】
本発明の第５実施例によれば、ＲＦＩＤタグと共にＲＦＩＤタグに対応したデバイスリーダ６が使用され、デバイスリーダ６は、ＲＦＩＤタグとデバイスリーダ６がある距離範囲内に接近したとき、ＲＦＩＤタグとデバイスリーダとの間の電磁誘導作用を利用して、ＲＦＩＤタグに格納されているコンテンツＩＤ情報を読み取る。
【００７８】
或いは、他の一実施例によれば、無線デバイス５は、単体でコンテンツＩＤ情報を送信する機能を備えた能動的デバイス、例えば、赤外線送信機であり、デバイスリーダ６は、赤外線信号を受信する機能を備えた赤外線受信機である。
【００７９】
このように本発明によれば、無線デバイス５として、送信機能の有無に係らず非接触式の種々のタグを用いることが可能である。
【００８０】
本発明の第５実施例によれば、デバイスリーダ６と無線デバイス５との間の電磁誘導によってデバイスリーダ６で読み取られるコンテンツＩＤ情報は、デバイスリーダ６から無線端末７へ転送される（ステップ３）。デバイスリーダ６は、例えば、無線端末７のカードインタフェース（図示せず）に適合し、無線端末７に挿入される。本発明の第５実施例では、無線端末７として無線ＬＡＮ端末が使用される、他の一実施例では、無線端末７として、Ｂｌｕｅｔｏｏｔｈ端末が使用される。
【００８１】
無線端末７は、コンテンツ仲介サーバ８との間で無線リンクを確立し、デバイスリーダ６から転送されたコンテンツＩＤ情報を、コンテンツ仲介サーバ８に送信し、コンテンツＩＤ情報が示す実際のコンテンツをコンテンツ仲介サーバ８に要求する（ステップ４）。
【００８２】
コンテンツ仲介サーバ８は、無線端末７に対する無線基地局としての機能の他に、コンテンツＩＤ情報から実コンテンツの格納場所を見つける機能（例えば、コンテンツＩＤからＵＲＬアドレスへのマッピング機能）と、一度読み込んだコンテンツを一定期間蓄積するキャッシュ機能と、を具備している。後述するように、コンテンツ仲介サーバ８は、マッピング機能を使用して獲得したＵＲＬアドレスを用いて、ネットワーク経由でコンテンツアグリゲーションサーバ１からコンテンツを取得することができる。また、コンテンツ仲介サーバ８は、コンテンツアグリゲーションサーバ１から取得したコンテンツを一定期間保持することによって、多数の無線端末７から同じコンテンツを要求された場合に、コンテンツアグリゲーションサーバ８からコンテンツを取得するための通信負荷を軽減させることができる。また、コンテンツ仲介サーバ８がコンテンツを一定期間保持することによって、その間、無線端末７は同じコンテンツを何回でもダウンロードできるようになる。これにより、無線端末７へのコンテンツのダウンローディング中に、コンテンツ仲介サーバ８と無線端末７との間の通信に故障が起こり、ダウンロードに失敗しても、再度ダウンロードを行うことが可能になる。
【００８３】
コンテンツ仲介サーバ８は、無線端末７からコンテンツ要求を受信すると、無線端末７からコンテンツ要求を送出したユーザが正当な権限を保有しているかどうかを確認するため、無線端末７に対して認証要求を行う（ステップ５）。無線端末７は認証サーバ９へ認証データを送信し（ステップ６）、無線端末７と認証サーバ９との間でユーザの認証手順が行われ、最後に、認証サーバ９からコンテンツ仲介サーバ８へ認証完了通知がなされる（ステップ７）。
【００８４】
ユーザの認証に失敗した場合、コンテンツ仲介サーバ８は、無線端末７へのコンテンツ提供を行わない。認証手順が確立した場合、コンテンツ仲介サーバ８は、ユーザから要求されたコンテンツをキャッシュしているかどうかを判定し、既にキャッシュしている場合には、キャッシュされているコンテンツの送信の準備を完了してステップ１０へ進む。ユーザから要求されたコンテンツがキャッシュされていない場合、コンテンツ仲介サーバ８は、コンテンツアグリゲーションサーバ１に、コンテンツＩＤ情報に対応したコンテンツを要求するコンテンツ要求を送信する（ステップ８）。
【００８５】
コンテンツアグリゲーションサーバ１は、コンテンツ要求に応じて、要求されたコンテンツをコンテンツ仲介サーバ８へ送信する（ステップ９）。
【００８６】
コンテンツ仲介サーバ８は、コンテンツアグリゲーションサーバからユーザが要求する所定のコンテンツを受信し、このコンテンツを無線端末７へ送信する準備を完了した後、無線端末７に対して、コンテンツ送信に対する課金を要求する（ステップ１０）。無線端末７は、課金のための情報、例えば、クレジッドカードのカード会社名、カード番号、名義人、及び、有効期限のような情報を、コンテンツ仲介サーバ８を介して、課金決済サーバ１０へ送信する（ステップ１１）。課金決済サーバ１０は、カード会社にアクセスして、コンテンツ送信料金を決済し、課金情報の受信完了通知をコンテンツ仲介サーバ８へ送る（ステップ１２）。
【００８７】
コンテンツ仲介サーバ８は、課金・決済サーバ１０から受信完了通知を得た後、ユーザから要求されたコンテンツを無線端末７へ送信する（ステップ１３）。
【００８８】
最後に、課金・決済サーバ１０は、ユーザから集約された課金のための情報に基づいて、コンテンツ提供サービス料金を決済し、更に、ユーザへ提供されたコンテンツを提供したコンテンツサーバ２を管理・運営するコンテンツホルダーに対して、ユーザから徴収したコンテンツ提供サービス料金の一部をコンテンツ提供料金として利益分与する。これにより、コンテンツホルダーと、コンテンツアグリゲーションサーバ等を運営するサービス提供機関との間でリベニューシェアが行われる。
【００８９】
このように本発明の第５実施例によれば、携帯端末のユーザ（又は所有者）は、広告に掲載されているコンテンツにアクセスしたり、コンテンツを携帯端末や自宅若しくは職場等に設置されたコンピュータにダウンロードしたりするために、広告に文字情報として掲載されているＵＲＬ等をメモしたり、或いは、携帯端末に手入力したりすることなく、その場で、所望するコンテンツに、携帯端末を用いて、直接容易にアクセスすることが可能になる。また、本発明の第５実施例によれば、コンテンツアグリゲーションサーバ、認証サーバ、課金・決済サーバを用いて、広告看板に記載されている雑誌記事、グラビア、音楽情報等のコンテンツ広告から、直接、対象コンテンツへアクセスし、対象コンテンツを購入するシステムを実現することが可能である。これにより、ユーザにとって利便性の高いサービスを提供し、サービス提供者に対して新たなビジネス形態を提供することが可能である。
【００９０】
本発明の第１〜第５実施例では、無線端末７として、無線ＬＡＮ端末、若しくは、Ｂｌｕｅｔｏｏｔｈ端末が使用される。そのため、無線端末は、ホットスポットに設置されたコンテンツ仲介サーバ８を経由して、コンテンツアグリゲーションサーバ１、認証サーバ９及び課金決済サーバ１０にアクセスする。そのため、以下のようなシーケンスに従ってコンテンツ提供サービスが実現される。
（１）コンテンツアグリゲーションサーバは各コンテンツサーバから所定のコンテンツを収集し格納する。
（２）ユーザ端末、すなわち、無線端末は、ユーザが興味のあるコンテンツのコンテンツタグ、すなわち、無線デバイスからの情報（たとえば、ＵＲＬ、ＩＤ等）を受信する。
（３）ユーザ端末からコンテンツ仲介サーバへ、コンテンツタグから得た情報を送信する。
（４）コンテンツ仲介サーバは、コンテンツアグリゲーションサーバへコンテンツを要求する。但し、キャッシュ機能を具備している場合には、キャッシュにコンテンツが無い場合に限り、コンテンツアグリゲーションサーバへコンテンツを要求する。
（５）コンテンツ仲介サーバは、ネットワーク経由でコンテンツアグリゲーションサーバからコンテンツを受信する。
（６）コンテンツ仲介サーバは、ユーザ端末に対して、コンテンツに対する課金を要求する。
（７）ユーザ端末は、認証、課金、決済のための情報を送信する（コンテンツ料金とサービス料金を含む）。
（８）コンテンツ仲介サーバは、コンテンツをユーザ端末に送信する。コンテンツは、ユーザ端末で使用したり、ユーザ端末にダウンロードしたりすることが可能なデジタルコンテンツである。
（９）コンテンツ仲介サーバは、認証、課金、決済のための情報を送信する。
（１０）認証・課金・決済サーバは、各コンテンツホルダーに利益を分配する。
【００９１】
これに対して、図７に示された本発明の第６実施例によるコンテンツ提供システムでは、無線端末７として、ＰＤＣ或いはＰＨＳが利用される。そのため、ＰＤＣ或いはＰＨＳのような無線端末７は、コンテンツ仲介サーバ８を経由することなく、ネットワークに接続し、コンテンツアグリゲーションサーバ１、認証サーバ９及び課金決済サーバ１０との通信を行う。
【００９２】
無線端末７としてＰＤＣやＰＨＳを利用した場合には、広告看板３の無線デバイス５から、デバイスリーダ６を使用してコンテンツ識別情報を読み出すと、コンテンツ情報には、例えば、コンテンツアグリゲーションサーバ１の接続先情報と、商品番号とが記述されていて、無線端末７では、（自動的又は半自動的に）コンテンツアグリゲーションサーバ１へ接続して、コンテンツの購入画面が表示され、購入を選択すると、認証、課金、ダウンロードが行われる。
【００９３】
本実施例においても、ＲＦＩＤタグのような無線デバイスを契機としたコンテンツアクセスが行われ、ＵＲＬ等を手入力で行う必要がない。また、ユーザは、広告等を見てそこからすぐコンテンツにアクセスできる。したがって、ユーザの購入意欲を抑えることがない。この点で、本発明の第６実施例によるコンテンツ提供システムは、従来技術におけるコンテンツ提供サービスとは相違する。また、本実施例の課金決済のモデルは、従来技術における課金決済のモデルと相違している。
【００９４】
以上の通り、本発明の種々の実施例は、ＲＦＩＤや赤外線のような非接触手段を起点として、特定コンテンツへの容易なアクセス手段を提供する。そして、コンテンツホルダーを取りまとめるコンテンツアグリゲーションのビジネスモデルを提案する。
【００９５】
より具体的には、本発明の種々の実施例では、ポスター、看板、街頭広告などの媒体に、対象コンテンツのコンテンツＩＤ、ＵＲＬ情報等の情報が埋め込まれたＲＦＩＤタグ等を貼付する。ユーザ端末は、その情報を受信し、対象のコンテンツにネットワーク経由でアクセスし、視聴、ダウンロードなどを実現する。様々なコンテンツの権利を有するホルダーを取りまとめてコンテンツアグリゲーションサーバに集約することにより、ユーザの利便性が向上する。
【００９６】
以上、本発明の代表的な実施例を説明したが、本発明は、上記の実施例に限定されることなく、特許請求の範囲内において、種々変更・応用が可能である。
【００９７】
【発明の効果】
本発明によれば、デジタルコンテンツの広告を見たユーザは、コンテンツのアドレス情報等を手入力することなく、その場で直ぐにデジタルコンテンツを入手することができるコンテンツ提供サービスが実現できる。
【図面の簡単な説明】
【図１】本発明の第１実施例によるコンテンツ提供システムの構成図である。
【図２】本発明の第２実施例によるコンテンツ提供システムの構成図である。
【図３】本発明の第３実施例によるコンテンツ提供方法のフローチャートである。
【図４】本発明の第４実施例によるコンテンツ仲介サーバの構成図である。
【図５】本発明の第５実施例によるコンテンツ提供システムの構成図である。
【図６】本発明の第５実施例によるコンテンツ提供システムのシーケンス説明図である。
【図７】本発明の第６実施例によるコンテンツ提供システムの構成図である。
【符号の説明】
１    コンテンツアグリゲーションサーバ
２    コンテンツサーバ
３    広告看板
４    コンテンツ広告
５    無線デバイス
６    デバイスリーダ
７    無線端末
８    コンテンツ仲介サーバ
９    認証サーバ
１０    課金決済サーバ
【図１】
2004240709.tif 000003
【図２】
2004240709.tif 000004
【図３】
2004240709.tif 000005
【図４】
2004240709.tif 000006
【図５】
2004240709.tif 000007
【図６】
2004240709.tif 000008
【図７】
2004240709.tif 000009